(57)【要約】      （修正有）【課題】デザイン上の設計自由度が高く、かつ、電波の受信感度のよいムーブメントを備えた携帯型電波時計を提供する。【解決手段】外装ケースと、外装ケース内に配置されるムーブメント１０と、平板状導体にムーブメント１０の外周に沿った円弧形状のスロット１７が形成されたスロットアンテナ１６と、を有し、平面視において、ムーブメント１０の中心に対してスロット１７が形成されない領域に、少なくとも、外周操作部材及び表示用開口の少なくともいずれかが配置される携帯型電波時計。【選択図】図２
2019056616.tif 000002
【特許請求の範囲】
【請求項１】
外装ケースと、
前記外装ケース内に配置されるムーブメントと、
平板状導体に前記ムーブメントの外周に沿った円弧形状のスロットが形成されたスロットアンテナと、
を有し、
平面視において、前記ムーブメントの中心に対して前記スロットが形成されない領域に、少なくとも、外周操作部材及び表示用開口の少なくともいずれかが配置される
携帯型電波時計。
【請求項２】
前記スロットアンテナ上に配置されるソーラーパネルを有し、
前記ソーラーパネルは、前記ムーブメントの中心に対して前記スロットが形成されない領域において、前記ムーブメントの外周に延在し、前記ムーブメントの中心に対して前記スロットが形成される領域において、前記スロットを露出する形状である、
請求項１に記載の携帯型電波時計。
【請求項３】
前記ソーラーパネルは、前記スロットの両端において前記スロットと重畳する形状である
請求項２に記載の携帯型電波時計。
【請求項４】
前記スロットアンテナ上に配置され、基材上に導電膜が形成される遮蔽領域と、前記基材上に導電膜が形成されない非遮蔽領域とを有するソーラーパネルを有し、
前記遮蔽領域は、前記ムーブメントの中心に対して前記スロットが形成されない領域において、前記ムーブメントの外周に延在し、前記非遮蔽領域は、前記ムーブメントの中心に対して前記スロットが形成される領域において、前記スロットと重畳する形状である、
請求項１に記載の携帯型電波時計。
【請求項５】
前記遮蔽領域は、前記スロットの両端において前記スロットと重畳する形状である、
請求項４に記載の携帯型電波時計。
【請求項６】
前記電波腕時計は、前記外周操作部材である竜頭が取り付けられる巻真と、ボタン型電池を有し、
前記ボタン型電池は、前記ムーブメントの中心から、前記ムーブメントの中心に対して前記スロットが形成されない領域に偏った位置であって、かつ、前記ムーブメントの中心から前記巻真に向く方向からずれた位置に配置される、
請求項１〜５のいずれか１項に記載の携帯型電波時計。
【請求項７】
平面視において、前記スロットに内接する円内の領域に、モーター及び輪列を構成する金属部材が配置される、
請求項１〜６のいずれか１項に記載の携帯型電波時計。
【請求項８】
前記スロットアンテナの平板状導体は、すくなくとも、前記スロットの周囲であって、前記スロットアンテナにより受信しようとする電波の波長の０．３％以上の範囲に延在する、
請求項１〜７のいずれか１項に記載の携帯型電波時計。
【請求項９】
前記スロットアンテナの裏面側に、平板状導体に前記スロットを包含する形状の開口が形成された遮蔽電極を有する
請求項１〜８のいずれか１項に記載の携帯型電波時計。
【請求項１０】
前記遮蔽電極の開口は、すくなくとも、前記スロットの周囲であって、前記スロットアンテナにより受信しようとする電波の波長の０．３％以上の範囲に延在する、
請求項９に記載の携帯型電波時計。
【請求項１１】
前記スロットアンテナは、不平衡給電される
請求項１〜１０のいずれか１項に記載の携帯型電波時計。
【請求項１２】
前記スロットアンテナと接続される給電線はＦＰＣ基板上に形成された導体薄膜により形成され、少なくとも１本の第１電線と、前記第１電線の横断方向両側に形成された少なくとも２本の第２電線を有する、
請求項１１に記載の携帯型電波時計。
【請求項１３】
前記スロットアンテナは、不平衡給電され、
前記スロットアンテナと接続される給電線はＦＰＣ基板上に形成された導体薄膜により形成され、少なくとも１本の第１電線と、前記第１電線の横断方向両側に形成された少なくとも２本の第２電線を有し、
前記スロットアンテナの平板状導体は前記ＦＰＣの表面側に形成され、
前記遮蔽電極の平板状導体及び前記給電線は前記ＦＰＣの裏面側に形成され、
前記第１電線は前記スロットの外周側で前記スロットアンテナの平板状導体に接続され、
前記第２電線は、前記遮蔽電極と接続され、前記遮蔽電極は前記スロットの内周側で前記スロットアンテナの平板状導体に接続される、
請求項９又は１０に記載の携帯型電波時計。
【請求項１４】
前記スロットアンテナ及び前記遮蔽電極は、その外周において、前記外装ケースから絶縁される
請求項１０、１１又は１３に記載の携帯型電波時計。
【発明の詳細な説明】
【技術分野】
【０００１】
本発明は、携帯型電波時計に関する。
【背景技術】
【０００２】
腕時計、懐中時計などの携帯型時計に関し、特に、腕時計において、ＧＰＳ（Ｇｌｏｂａｌ  Ｐｏｓｉｔｉｏｎｉｎｇ  Ｓｙｓｔｅｍ）等の衛星電波を受信して時刻修正を行う電波時計がある。衛星電波は一般にＵＨＦ帯の高周波であり、携帯型電波時計にはかかる周波数帯の電波の受信に適した形態のアンテナが内蔵される。なお、ここで携帯型電波時計とは、形態に適したサイズの時計であって且つ、外部電波を受信して時刻修正をする機能を有するいわゆる電波時計でもあるものを指す。
【０００３】
かかる携帯型電波時計に用いられるアンテナとして、パッチアンテナが実用されるが、パッチアンテナは時計のムーブメント内で占める体積が大きく、時計の小型化やデザイン上のレイアウトに制限をきたす場合があった。
【０００４】
これに対し、時計のムーブメント内でなく、その表面や外周に配置されるリング状のアンテナの提案がなされている。例えば、特許文献１には、円周方向に延在するスロットが形成されたアンテナ電極を有するアンテナ体を備えたアンテナ内蔵式電子時計が記載されている。
【０００５】
同文献記載のアンテナ内蔵式電子時計では、外装ケースがアンテナ体の側面部として、また裏蓋が底面部として機能しており、アンテナ体に駆動機構が収容される。さらに、Ｃ型のスロットは、ほぼ全周にわたっており、文字板の周囲である時計の空きスペースに配置される。
【先行技術文献】
【特許文献】
【０００６】
【特許文献１】特開２０１２−１１８０４５号公報
【発明の概要】
【発明が解決しようとする課題】
【０００７】
本発明は、デザイン上の設計自由度が高く、かつ、電波の受信感度のよいムーブメントを備えた携帯型電波時計を提供することをその目的とする。
【課題を解決するための手段】
【０００８】
本発明は種々の側面を有しており、それらは以下の通り例示される。
【０００９】
（１）外装ケースと、前記外装ケース内に配置されるムーブメントと、平板状導体に前記ムーブメントの外周に沿った円弧形状のスロットが形成されたスロットアンテナと、を有し、平面視において、前記ムーブメントの中心に対して前記スロットが形成されない領域に、少なくとも、外周操作部材及び表示用開口の少なくともいずれかが配置される携帯型電波時計。
【００１０】
（２）（１）において、前記スロットアンテナ上に配置されるソーラーパネルを有し、前記ソーラーパネルは、前記ムーブメントの中心に対して前記スロットが形成されない領域において、前記ムーブメントの外周に延在し、前記ムーブメントの中心に対して前記スロットが形成される領域において、前記スロットを露出する形状である、携帯型電波時計。
【００１１】
（３）（２）において、前記ソーラーパネルは、前記スロットの両端において前記スロットと重畳する形状である携帯型電波時計。
【００１２】
（４）（１）において、前記スロットアンテナ上に配置され、基材上に導電膜が形成される遮蔽領域と、前記基材上に導電膜が形成されない非遮蔽領域とを有するソーラーパネルを有し、前記遮蔽領域は、前記ムーブメントの中心に対して前記スロットが形成されない領域において、前記ムーブメントの外周に延在し、前記非遮蔽領域は、前記ムーブメントの中心に対して前記スロットが形成される領域において、前記スロットと重畳する形状である、携帯型電波時計。
【００１３】
（５）（４）において、前記遮蔽領域は、前記スロットの両端において前記スロットと重畳する形状である、携帯型電波時計。
【００１４】
（６）（１）〜（５）のいずれかにおいて、前記電波腕時計は、前記外周操作部材である竜頭が取り付けられる巻真と、ボタン型電池を有し、前記ボタン型電池は、前記ムーブメントの中心から、前記ムーブメントの中心に対して前記スロットが形成されない領域に偏った位置であって、かつ、前記ムーブメントの中心から前記巻真に向く方向からずれた位置に配置される、携帯型電波時計。
【００１５】
（７）（１）〜（６）のいずれかにおいて、平面視において、前記スロットに内接する円内の領域に、モーター及び輪列を構成する金属部材が配置される、携帯型電波時計。
【００１６】
（８）（１）〜（７）のいずれかにおいて、前記スロットアンテナの平板状導体は、すくなくとも、前記スロットの周囲であって、前記スロットアンテナにより受信しようとする電波の波長の０．３％以上の範囲に延在する、携帯型電波時計。
【００１７】
（９）（１）〜（８）のいずれかにおいて、前記スロットアンテナの裏面側に、平板状導体に前記スロットを包含する形状の開口が形成された遮蔽電極を有する、携帯型電波時計。
【００１８】
（１０）（９）において、前記遮蔽電極の開口は、すくなくとも、前記スロットの周囲であって、前記スロットアンテナにより受信しようとする電波の波長の０．３％以上の範囲に延在する、携帯型電波時計。
【００１９】
（１１）（１）〜（１０）のいずれかにおいて、前記スロットアンテナは、不平衡給電される、携帯型電波時計。
【００２０】
（１２）（１１）において、前記スロットアンテナと接続される給電線はＦＰＣ基板上に形成された導体薄膜により形成され、少なくとも１本の第１電線と、前記第１電線の横断方向両側に形成された少なくとも２本の第２電線を有する、携帯型電波時計。
【００２１】
（１３）（９）又は（１０）において、前記スロットアンテナは、不平衡給電され、前記スロットアンテナと接続される給電線はＦＰＣ基板上に形成された導体薄膜により形成され、少なくとも１本の第１電線と、前記第１電線の横断方向両側に形成された少なくとも２本の第２電線を有し、前記スロットアンテナの平板状導体は前記ＦＰＣの表面側に形成され、前記遮蔽電極の平板状導体及び前記給電線は前記ＦＰＣの裏面側に形成され、前記第１電線は前記スロットの外周側で前記スロットアンテナの平板状導体に接続され、前記第２電線は、前記遮蔽電極と接続され、前記遮蔽電極は前記スロットの内周側で前記スロットアンテナの平板状導体に接続される、携帯型電波時計。
【００２２】
（１４）（１０）、（１１）又は（１３）において、前記スロットアンテナ及び前記遮蔽電極は、その外周において、前記外装ケースから絶縁される、携帯型電波時計。
【発明の効果】
【００２３】
本発明の（１）の側面によれば、デザイン上の設計自由度が高く、かつ、電波の受信感度のよいムーブメントを備えた携帯型電波時計が提供される。
【００２４】
本発明の（２）〜（５）の側面によれば、ソーラーパネルによるスロットアンテナの受信感度への影響を抑制できる。
【００２５】
本発明の（６）の側面によれば、ボタン型電池によるスロットアンテナの受信感度への影響を抑制しつつ、巻真脇に巻真着脱機構を設けるスペースを確保できる。
【００２６】
本発明の（７）の側面によれば、モーター及び輪列を構成する金属部材によるスロットアンテナの受信感度への影響を抑制できる。
【００２７】
本発明の（８）の側面によれば、スロットアンテナのスロットの周囲の電流分布が安定し、所望の受信性能が発揮される。
【００２８】
本発明の（９）又は（１０）の側面によれば、ムーブメント内部の部材によるスロットアンテナの受信感度への影響を遮蔽しつつ、遮蔽電極によるスロットアンテナの受信感度への影響を抑制できる。
【００２９】
本発明の（１１）〜（１３）の側面によれば、給電線に対するノイズの影響を排除しつつ、給電点周辺の配線構造がシンプルとなり、スロットアンテナの受信感度への影響が少なくなる。
【００３０】
本発明の（１４）の側面によれば、そのため、外装ケースの外部からの影響が直接スロットアンテナに及びにくく、受信感度が安定する。
【図面の簡単な説明】
【００３１】
【図１】本発明の一実施形態に係る携帯型電波時計の平面図である。
【図２】外装ケースの内部に収容されるムーブメントを示す平面図である。
【図３】スロットアンテナの平面図である。
【図４】ソーラーパネルの平面図である。
【図５】ソーラーパネルの変形例を示す平面図である。
【図６】ソーラーパネルのさらなる変形例を示す平面図である。
【図７】ムーブメントの平面視において、ボタン型電池の好適な配置を示す図である。
【図８】ムーブメントにおける、モーターと輪列の配置の例を示す図である。
【図９】スロットアンテナの裏面平面図である。
【図１０】図９のＸ−Ｘ線による断面図である。
【図１１】図９の舌部の根元の拡大図である。
【発明を実施するための形態】
【００３２】
以下、図面を参照して本発明の一実施形態を説明する。
【００３３】
図１は、本発明の一実施形態に係る携帯型電波時計１の平面図である。携帯型電波時計１は、ここでは腕時計として示しているが、その他の形式、例えば、懐中時計であってもよい。携帯型電波時計１は、図示の通り、アナログ式の電子時計であるが、一部に液晶表示器などを用いたデジタル表示を備えるものであってもよい。なお、図１では、携帯型電波時計１を腕に装着するためのバンドは図示を省略している。
【００３４】
携帯型電波時計１は、外装ケース２の内部に、時計の機構部材であるいわゆるムーブメントを収容したものである。図１の例では、携帯型電波時計１の文字板３のほぼ中央を軸として、時針、分針及び秒針からなる指針４が設けられている。また、文字板３の外周縁には、装飾部材として見返しリング５が設けられているが、これは必ずしも必須の部材ではない。文字板３の外周に沿って、時刻を示す目印、いわゆる時字６が１時間を示す３０度毎に取り付けられている（図中では、煩雑となるため１２時位置の時字６にのみ符号を付した）。
【００３５】
また、外装ケース２の３時側の外周側面には、竜頭７が、また竜頭７をはさむようにプッシュボタン８がそれぞれ設けられ、携帯型電波時計１に対するユーザの操作を受け付けるようになっている。この竜頭７や、プッシュボタン８のように、外装ケース２の外周側面からユーザの操作を受け付けるための入力機構を、本明細書では外周操作部材と称する。外周操作部材には、竜頭７と接続される巻真や、プッシュボタン８が取り付けられるスイッチ機構が含まれる。
【００３６】
さらに、本例では、文字板３の３時の時字に当たる位置に、日窓９が設けられており、日表示がされている。この日窓９は、日板の所定位置をユーザが視認可能とする開口であり、日窓９を通して日板の所定の位置、図示の例では「２０」と印刷された位置が視認されることで、現在の日付が把握されるようになっている。この日窓９のように、その裏側に配置された日板などの表示部材を視認可能とする開口を、本明細書では表示用開口と称する。表示用開口により表示されるものは、この例で示した日表示に限定されず、曜やタイムゾーンの表示や、液晶表示器による各種の情報が含まれる。
【００３７】
図２は、図１の携帯型電波時計１から、外装ケース２と文字板３、指針４、竜頭７及びプッシュボタン８を取り去り、外装ケース２の内部に収容されるムーブメント１０を示す平面図である。
【００３８】
ムーブメント１０は、概略円板形状であり、そのほぼ中心に指針軸１１が存在している。またムーブメント１０を構成する枠１２（地板ともいう）の外周側面には、竜頭７を取り付けるための巻真１３、プッシュボタン８を取り付けるためのスイッチ機構１４の一部が突き出している。また、枠１２の上面には、表側から、ソーラーパネル１５、スロットアンテナ１６が積層されている。本例では、ソーラーパネル１５の全面に電極は形成されておらず、その背面のスロットアンテナ１６の一部と、スロットアンテナ１６に形成されたスロット１７が見えている。
【００３９】
ソーラーパネル１５及びスロットアンテナ１６にはともに、日窓９及び、指針軸１１を通過させるための軸開口１８が設けられている。
【００４０】
図３は、スロットアンテナ１６の平面図である。スロットアンテナ１６は、平板状導体１９に、円弧形状のスロット１７が形成された形状である。本例では、スロットアンテナ１６は、絶縁性の基板上に形成された金属薄膜のパターンによってスロット１７が形成されており、平板状導体１９は、金属薄膜である。したがって、スロット１７からは絶縁性の基板が露出していることとなるが、日窓９及び軸開口１８と同様、スロット１７を絶縁性の基板を切り欠くことにより作成してもよい。
【００４１】
スロット１７の長さは、スロットアンテナ１６により受信しようとする電波の波長に応じて設定してよいが、円偏波を得るため、ムーブメント１０の中心に対して、図３においてθで示した角度範囲で１８０度以上、より好ましくは２７０度以上とする。図示の例では、スロット１７はムーブメント１０の中心に対して３００度の範囲に設けられている。
【００４２】
また、スロットアンテナ１６の外形（すなわち、絶縁性の基板の外形）は、おおむね円形であるが、若干の凹凸が設けられている。この凹凸は、図２で示した枠１２の上面に設けられた、ソーラーパネル１５及びスロットアンテナ１６を受け入れるための凹部の内周の形状と相補的になっており（図２参照）、スロットアンテナ１６を枠１２上に配置した際に、スロットアンテナ１６が回転することなく位置決めされる。
【００４３】
また、本例では、スロットアンテナ１６の絶縁性の基板は、ＦＰＣ（フレキシブルプリント基板）であり、スロット１７のいずれかの端部近傍から、外周側に向かって突き出す舌部２０が設けられている。舌部２０は、その裏面に配線パターンが形成され、スロットアンテナ１６とムーブメント１０に設けられた回路基板とを接続する給電線として機能する。舌部２０は、スロットアンテナ１６が枠１２上に配置された際に、下方に向かって柔軟に曲げられる。
【００４４】
また、スロット１７のいずれかの端部近傍には、給電点２１が設けられている。給電点２１は、舌部２０の裏面に設けられた配線パターンと平板状導体１９とを接続するビアホールである。舌部２０の裏面に設けられた配線パターン及び、平板状導体１９との接続部の詳細については後述する。
【００４５】
本実施形態では、スロット１７は円弧形状であり、ムーブメント１０の中心に対してスロット１７が形成されない領域Ａが確保される。そして、この領域Ａには、平面視において、スロット１７と重畳することにより不都合が生じうると考えられる構造を配置する。
【００４６】
そのような構造の第１の候補は、スロットアンテナ１６の受信性能に影響を与える可能性のある、ある程度以上の大きさを持つ導電性の（通常は金属製の）部材であって、スロット１７と同程度に、ムーブメント１０の外周に配置することが必要な部材である。そのような部材の代表的なものは、前述の外周操作部材である。図２より明らかなように、本例では、巻真１３及び、スイッチ機構１４は、ムーブメント１０の中心に対してスロット１７が形成されない領域Ａ内に配置されている。もちろん、巻真１３とスイッチ機構１４の両方を有さない携帯式電波時計１の場合には、そのいずれか片方を領域Ａ内に配置するものとしてよく、外周操作部材の配置によって、どうしてもそれらの全てを領域Ａ内に配置することができない場合には、その一部を領域Ａ内に配置するものとしてもよい。その際には、できうる限り、金属部材の大きさが小さく、スロットアンテナ１６の受信感度への影響が小さい部材を領域Ａ外に配置することが望ましく、また、後述する理由により、領域Ａ外に外周操作部材を配置する場合であっても、スロット１７の両端部近傍の位置に配置することが望ましい。
【００４７】
また、領域Ａ内に配置される構造の第２の候補は、表示用開口であり、本例では、日窓９が該当する。通常、機構上あるいはデザインレイアウト上の都合により、表示用開口は時計の盤面の外周付近に配置されるが、表示用開口はムーブメント１０に組み込まれた表示機構をユーザに視認させるため、表示用開口に当たる位置のスロットアンテナ１６を切り欠くか、透明な部材としなければならず、表示用開口をまたぐようにスロット１７を形成することができない。そのため、表示用開口は領域Ａ内に配置される。このような構成とすることで、表示用開口をスロット１７の内周側に配置する必要がなく、時計の盤面を広くとることができ、デザインレイアウトの自由度が高まる。
【００４８】
なお、必ずしもすべての携帯型電波時計１について、表示用開口が存在するとは限らない。したがって、本実施形態において例示した携帯型電波時計１は、外周操作部材の全てと表示用開口が領域Ａに配置されるものであるが、領域Ａには、少なくとも、外周操作部材及び表示用開口の少なくともいずれかが配置されるものとすればよい。
【００４９】
また、スロットアンテナ１６の領域Ａの周縁部には、穴３５が設けられている。これは、後述する、ソーラーパネル１５とムーブメント１０の回路基板とを接続する導電体が通過するためのものである。
【００５０】
図４は、ソーラーパネル１５の平面図である。ソーラーパネル１５は、絶縁性の基板上に導電膜と、半導体膜を積層して太陽電池が形成されている。そして、本例のソーラーパネル１５では、太陽電池は絶縁性の基板の全面に形成されておらず、導電膜が形成され、太陽電池として機能する遮蔽領域２２と、導電膜が形成されない非遮蔽領域２３が存在している。
【００５１】
遮蔽領域２２では、導電膜の働きにより、外部からの電波が遮蔽されるため、この遮蔽領域２２がスロットアンテナ１６のスロット１７を覆うと、受信感度の低下を招く。そのため、非遮蔽領域２３は、ムーブメント１０の中心に対してスロット１７が形成される領域Ｂにおいて、スロット１７と重畳する形状となっている。具体的には、Ｃ字形状のスロット１７を覆うように、ソーラーパネル１５の外周縁にて非遮蔽領域２３もＣ字形状に設けられる。図４には、あわせてスロット１７の位置を破線で示した。
【００５２】
一方、ムーブメント１０の中心に対して前記スロットが形成されない領域Ａにおいて、遮蔽領域２２はムーブメント１０の外周に延在する。これは、太陽電池として有効な面積をできる限り大きく確保するためである。
【００５３】
また、ソーラーパネル１５の領域Ａの周縁部の裏面には、ソーラーパネル接続電極３６が設けられる。ソーラーパネル１５がムーブメント１０に取り付けられる際に、枠１２のソーラーパネル接続電極３６に対応する位置に、導電体が配置され、かかる導電体を介してソーラーパネル１５とムーブメント１０の回路基板とが電気的に接続される。導電体は、ソーラーパネル接続電極３６との電気的接続を確実にするものが望ましく、弾性的にソーラーパネル接続電極３６に接触する構造であるとよい。例えば、金属製のばねをかかる導電体として使用することができる。ソーラーパネル接続電極３６と図３に示した穴３５は互いに対応する位置に設けられており、ソーラーパネル接続電極３６の直下に配置された導電体が穴３５を通過するようになっている。
【００５４】
ソーラーパネル接続電極３６は、導電体に弾性体を使用する場合、ムーブメント１０の枠１２でソーラーパネル１５が浮き上がらないよう押さえるため、ソーラーパネル１５の周縁部に設ける必要がある。一方で、ソーラーパネル１５の非遮蔽領域２３には導電膜が形成されないため、ソーラーパネル接続電極３６は、遮蔽領域２２内に設けなければならず、そのため、領域Ａ内に配置される。同時に、領域Ａ内にソーラーパネル接続電極３６を配置することで、ムーブメント１０とソーラーパネル１５とを接続する導電体がスロットアンテナ１６に与える影響を小さなものとしている。
【００５５】
図５は、ソーラーパネル１５の変形例を示す平面図である。この変形例では、非遮蔽領域２３は、ムーブメント１０の中心に対してスロット１７が形成される領域Ｂにおいて、スロット１７と重畳する形状となっているものの、スロット１７の両端において、遮蔽領域２２はスロット１７と部分的に重畳する形状となっている。スロットアンテナ１６において、スロット１７の長手方向（円周方向）の中央付近は電波を受信する上での寄与が大きいのに対し、その両端付近は電波を受信する上での寄与が小さいため、実用上支障のない範囲で、太陽電池の面積を広げ、発電量を確保する趣旨である。
【００５６】
この変形例の場合にも、ソーラーパネル接続電極３６は、ソーラーパネル１５の領域Ａの周縁部の裏面に設けられる。この配置をとる理由については、図４で説明したとおりである。
【００５７】
図６は、ソーラーパネル１５のさらなる変形例を示す平面図である。この変形例では、ソーラーパネル１５のほぼ全面に太陽電池が形成されている一方、ソーラーパネル１５の外形は、ムーブメント１０の外形あるいは枠１２のソーラーパネル１５及びスロットアンテナ１６を受け入れるための凹部の内周の形状とは一致しない。すなわち、ムーブメント１０の中心に対してスロット１７が形成される領域Ｂにおいて、スロット１７が露出するように切り欠かれた形状となっている。なお、本図においてもスロット１７の位置を破線で示した。これにより、ソーラーパネル１５によるスロットアンテナ１７の受信感度の低下を抑制している。
【００５８】
一方、ソーラーパネル１５は、ムーブメント１０の中心に対してスロット１７が形成されない領域Ａにおいて、ムーブメント１０の外周に延在し、本例では、枠１２のソーラーパネル１５及びスロットアンテナ１６を受け入れるための凹部の内周の形状と相補的な外形となっている。また、スロット１７の両端において、ソーラーパネル１５はスロット１７と部分的に重畳する形状となっている。
【００５９】
これは、先の変形例と同様に、太陽電池として有効な面積をできる限り大きく確保するためとともに、ソーラーパネル１５がムーブメント１０の外周に延在する周方向の長さをできるだけ長くとることにより、ソーラーパネル１５を枠１２に配置した際の位置のずれを防止する趣旨である。またこの際、ソーラーパネル１５がムーブメント１０の外周に延在する領域の両端付近に、枠１２の凹部の内周の形状と相補的な凹凸２４を設けることで、ソーラーパネル１５の回転方向及び水平方向の位置ずれが防止される。
【００６０】
なお、本変形例では、スロット１７の両端において、ソーラーパネル１５がスロット１７と部分的に重畳する形状であるが、ソーラーパネル１５がスロット１７と重畳しない形状としてもよい。
【００６１】
また、この変形例の場合にも、ソーラーパネル接続電極３６は、ソーラーパネル１５の領域Ａの周縁部の裏面に設けられる。この配置をとる理由についても、図４で説明したとおりである。
【００６２】
以上では、スロットアンテナ１６のスロット１７とソーラーパネル１５、外周操作部材及び表示用窓との好適な位置関係について論じた。以下更に、スロットアンテナ１６を使用する上で、考慮すべき主要な部材の好適な配置について述べる。
【００６３】
基本的には、スロットアンテナ１６を使用する上で考慮すべき部材は、その受信感度に影響を及ぼし得る大型の導体製（通常、金属製）の部材であり、携帯型電波時計１が備えるものとして、ボタン型電池２５がある。
【００６４】
図７は、ムーブメント１０の平面視において、ボタン型電池２５の好適な配置を示す図である。同図は、煩雑さを避けるため、ソーラーパネル１５及びスロットアンテナ１６の図示をスロット１７を除き省略し、ボタン型電池２５及び巻真着脱機構２６の位置を破線で示したものである。
【００６５】
ボタン型電池２５の配置の基本的な考え方は、電波を受信する上での寄与が大きいスロット１７の長手方向の中央付近から遠い位置に配置するというものであり、そのため、ムーブメント１０の中心から、ムーブメント１０の中心に対してスロット１７が形成されない領域Ａに偏った位置にボタン型電池２５を配置する。より詳細に説明すると、ムーブメント１０の中心位置、本例では指針軸１１の位置から見て、領域Ａが存在する方向にボタン型電池２５の中心Ｏが位置するようにボタン型電池２５を配置する。さらに、ボタン型電池２５の中心が領域Ａ内に位置するようにボタン型電池２５を配置することがより好ましい。
【００６６】
このような配置とすることで、図７に示すように、ボタン型電池２５がスロット１７の長手方向の中央からムーブメント１０の中心をはさんだ反対側に位置し、平面視においてボタン型電池２５とスロット１７とが重畳する領域が小さなものとなるとともに、ボタン型電池２５とスロット１７とが重畳するとしても、その領域はスロット１７のいずれかの端近傍となるから、ボタン型電池２５によるスロットアンテナ１６への受信感度の影響は小さなものに留まる。
【００６７】
さらに、ボタン型電池２５は、ムーブメント１０の中心から巻真１３に向く方向からずれた位置に配置される。具体的には、本例では巻真１３が設けられた３時の方向から、ボタン型電池２５の中心Ｏは、６時方向に向けて角度φだけずれた位置に配置されている。
【００６８】
これは、ボタン型電池２５と、巻真１３の脇に設けられる巻真着脱機構２６との干渉を防止するためである。巻真着脱機構２６は、図７ではその外形のみを示しているが、巻真１３がムーブメントから抜け落ちることがないように、例えば、巻真１３の外周に設けられた溝と係合する部材であり、ムーブメント１０の外周からの操作、例えばピンのような細い部材で押圧したり、ねじを回したりするなどにより、巻真１３との係合を任意に解除できる。
【００６９】
巻真着脱機構２６は、その性質上、巻真１３の脇に設けられなければならないが、ボタン型電池２５がムーブメント１０の中心に対し、巻真１３に向く方向に設けられると、巻き芯着脱機構２６を配置するだけの余裕が取れない恐れがある。そのため、ボタン型電池２５をムーブメント１０の中心から巻真１３に向く方向からずれた位置に配置し、巻真１３の近傍に巻真着脱機構２６を配置できるだけのスペースを確保する。魔禁止着脱機構２６は、図７に示されているように、平面視において、巻真１３の軸に対し、ボタン型電池２５の中心Ｏと反対側に設けられることが望ましい。
【００７０】
また、スロットアンテナ１６を使用する上で考慮すべき部材として、モーター２７及び輪列２８を構成する金属部材がある。これらの部材は、指針軸１１あるいは日板の駆動機構であるから、ムーブメント１０の中心に対してスロット１７が形成されない領域Ａにすべてを配置することは難しい。
【００７１】
そこで、本実施形態では、平面視において、スロット１７に内接する円内の領域Ｃに、モーター２７及び輪列２８を構成する金属部材を配置するようにした。図８は、ムーブメント１０における、モーター２７と輪列２８の配置の例を示す図である。同図においても、煩雑さを避けるため、ソーラーパネル１５及びスロットアンテナ１６の図示をスロット１７を除き省略し、モーター２７と輪列２８の位置は実線で示した。さらに、スロット１７に内接する円内の領域Ｃをハッチングで示した。
【００７２】
図示の例では、指針４を２つのモーター２７で、日板を１つのモーター２７で駆動する３モーター式のムーブメント１０が示されている。モーターは、コイルと、着磁されたロータを取り囲むステータを有しており、このいずれもが金属部材であるが、これら部材は領域Ｃ内に配置され、スロット１７とは重畳しないから、スロットアンテナ１６の受信性能に与える影響は小さい。
【００７３】
また、輪列２８は、指針軸１１を駆動するものと、日板を駆動するものの２つが示されているが、本例では、この輪列２８を構成するすべての車が領域Ｃ内に配置され、スロット１７とは重畳しない。したがって、輪列２８を構成するいずれかまたは全ての車が金属製であっても、スロットアンテナ１６の受信性能に与える影響は小さいものとなる。なお、輪列２８を構成する車の一部または全部が非金属性の絶縁体である場合には、かかる車はスロットアンテナ１６の受信性能にほとんど影響を与えないため、領域Ｃ外に配置され、スロット１７と重畳していても差し支えない。
続いて、スロットアンテナ１６の好ましい設計について説明する。
【００７４】
図９は、スロットアンテナ１６の裏面平面図である。スロットアンテナ１６の裏面側には、平板状導体により、遮蔽電極２９が形成されている。そして、遮蔽電極２９には、スロット１７を包含する形状の開口３０が形成されている。同図には、遮蔽電極２９とスロット１７との関係を示すため、スロット１７の位置および形状を破線で示した。
【００７５】
遮蔽電極２９は、好ましくは、スロットアンテナ１６の絶縁性の基板の裏面に形成された金属薄膜であり、広範囲を覆ういわゆるベタ電極となっている。この遮蔽電極２９は、スロットアンテナ１６の裏面側に配置された金属部材や、モーター２７、高周波回路その他の電気・電子回路からスロットアンテナ１６へのノイズや影響を遮蔽する目的で設けられたものである。その際、平面視において、スロット１７と遮蔽電極２９が重畳すると、スロットアンテナ１６の受信感度が低下するため、開口３０が設けられている。
【００７６】
図１０は、図９のＸ−Ｘ線による断面図である。スロットアンテナ１６は、絶縁性の基板３１の表側の面に平板状導体１９と、スロット１７が設けられている。一方、絶縁性の基板３１の裏側の面には、遮蔽電極２９と、開口３０が設けられている。この時、スロット１７の幅より、開口３０の幅の方が大きく、平面視において（図１０の上下方向において）、スロット１７は開口３０に包含される。
【００７７】
また、この時、スロット１７の周囲から、所定の距離ｄ１の範囲には、平板状導体１９が延在しており、他の切り欠きなどは存在しないことが望ましい。これにより、スロットアンテナ１６に給電した際のスロット１７の周囲の電流分布が安定し、所望の受信性能を発揮することができる。また、スロット１７の周囲から、所定の距離ｄ２の範囲には、開口３０が延在しており、遮蔽電極２９は設けられないことが望ましい。これにより、遮蔽電極２９によりスロットアンテナ１６の受信感度への影響を低減することができる。
【００７８】
ｄ１及びｄ２の値は、実験的に、ともにスロットアンテナ１６により受信しようとする電波の波長の０．３％以上であれば良好な受信特性が得られることがわかっている。
【００７９】
図１１は、図９の舌部２０の根元の拡大図である。舌部２０には、長手方向に沿って、第１電線３２と、第２電線３３からなる給電線３４が形成されている。給電線３４は、ＦＰＣ基板である絶縁性の基板上の導体薄膜パターンにより作成されており、いわゆるマイクロストリップラインである。第１電線３２と第２電線３３との間には間隙が設けられ、互いに短絡しないようになっている。
【００８０】
そして、第１電線３２は、本例では舌部２０の中心線上に形成されており、第２電線３３は、第１電線３２の両側にそれぞれ設けられている。なお、第１電線３２は本例では１本であるが、これを並行に配置された複数の線としてもよい。また、第２電線３３の本数も特に限定はされないが、第１電線３２の両側、すなわち、第１電線３２の横断方向の両側に形成されるため、少なくとも２本となる。なお、第１電線３２と第２電線３３は、全部２０の長手方向中心線に対し、対称となる形状であることが望ましい。
【００８１】
この給電線３４は、平面上で、第１電線３２と第２電線３３とで疑似的に同軸線を形成したものであり、外部からのノイズなどの影響を受けにくい利点がある。
【００８２】
そして、第１電線３２は、スロット１７の外周側である給電点２１ａにおいて、ビアホールによりスロットアンテナ１６の平板状電極１９に接続される。また、第２電線３３は、２本ともに遮蔽電極２９に連続しており、電気的に互いに接続されている。そして、遮蔽電極２９は、スロット１７の内周側となる給電点２１ｂにおいて、ビアホールによりスロットアンテナ１６の平板状電極１９に接続される。かかる構造により、スロット１７をはさんだ幅方向について、外周側は第１電線３２と接続され、内周側は遮蔽電極２９と接続されることになる。
【００８３】
スロットアンテナ１６により電波を受信する際には、給電線３４を通じて給電点２１に給電する。このとき、一般的にスロットアンテナは平衡アンテナであるから、給電点２１に平衡給電をするのが通常である。しかしながら、本例の場合、内周側の給電点２１ｂは、遮蔽電極２９に接続され、遮蔽電極２９はノイズやその他部材の影響を排除するため接地電位に保たれるから、不平衡給電がなされることになる。
【００８４】
スロットアンテナ１６への給電のみを考える場合、第１電線３２と第２電線３３にどのように給電するかは任意であり、平衡給電とすることも、いずれか任意の方を接地電位とする不平衡給電をすることも可能である。しかしながら、次の理由により、第１電線３２にアクティブな給電を行い外周側の給電点２１ａを給電電極とし、第２電線３３を接地して内周側の給電点２１ｂを接地電極とすることが望ましい。
【００８５】
まず、遮蔽電極２９は、適切な遮蔽効果を得るため、接地電位とすることが望ましく、遮蔽電極２９はその構造上、当然にスロット１７の内周側にも延在している。
【００８６】
一方、給電電極となる給電点２１をスロット１７の内周側に配置しようとする、すなわち、給電点２１ｂを給電電極にしようとすると、第１電線３２を、スロット１７を横切って給電点２１ｂに接続しなければならない。そのため、給電点２１ａを第１電線３２と接続し、給電電極とすることで、給電点２１周辺の配線がシンプルとなり、スロットアンテナ１６の受信感度への影響を及ぼしにくい。
【００８７】
また、給電線３４は、スロットアンテナ１６の絶縁性の基板の裏面側に形成されるから、図２に示されるように舌部２０を曲げて、給電線３４をムーブメント１０の基板と接続する際に、給電線３４がムーブメント１０の側面側を通ることになり、ムーブメント１０の外側に露出しないから、外装ケース２と短絡するなどの不具合が防止される。
【００８８】
また、本例では、図２に示すように、スロットアンテナ１６は、ムーブメント１０の枠１２の上面に設けられた凹部に収容され、その外周において、外装ケース２と接触することはなく、絶縁されている。このようにすることで、ユーザあるいは何らかの物体が外装ケースに触れたり、ユーザが外周操作部材に触れあるいは操作するなどによる影響がスロットアンテナ１６におよび、受信感度に影響することを防止できる。そして、ムーブメント１０は一般に、その側面あるいは裏面にて外装ケース２の胴あるいは裏蓋と弾性電極により電気的に接続され、接地電位を得ているが、本例のスロットアンテナ１６では、舌部２０に形成された第２電線３３によりムーブメント１０の回路基板上の接地電極と接続されることにより接地電位を得ており、ムーブメント１０の回路基板がさらに外装ケース２の胴あるいは裏蓋と接続される構造となっている。そのため、外装ケース２の外部からの影響が直接スロットアンテナ１６に及びにくく、受信感度が安定する効果がある。
【００８９】
なお、以上の説明は、本発明の一実施形態についてしたものであり、その具体的な形状や構造、数などは当業者が必要に応じて適宜変更して差し支えない。また、ここで説明したすべての構造が必ずしも備えられている必要はなく、実用上必要な範囲で適宜その採否を決定してよい。
【００９０】
例えば、説明した実施形態では、スロットアンテナ１６の遮蔽電極２９は、平板状導体１９の背面側にのみ設けたが、これをさらに、上面側にも設けるようにしてもよい。また、竜頭７やプッシュボタン８、日窓９の配置はデザイン上の要請に従い任意であり、指針４以外の副針や液晶表示器等の平板ディスプレイ等を設けてもよい。また、外装ケース２の形状は、必ずしも円形でなくともよく、角形その他の形状であってもよい。本実施形態では、外装ケース２の材質は導体である金属を想定して説明したが、その他の材質、例えば、プラスチックやセラミックスであってもよい。
【符号の説明】
【００９１】
１  携帯型電波時計、２  外装ケース、３  文字板、４  指針、５  見返しリング、６  時字、７  竜頭、８  プッシュボタン、９  日窓、１０  ムーブメント、１１  指針軸、１２  枠、１３  巻真、１４  スイッチ機構、１５  ソーラーパネル、１６  スロットアンテナ、１７  スロット、１８  軸開口、１９  平板状導体、２０  舌部、２１，２１ａ，２１ｂ  給電点、２２  遮蔽領域、２３  非遮蔽領域、２４  凹凸、２５  ボタン型電池、２６  巻真着脱機構、２７  モーター、２８  輪列、２９  遮蔽電極、３０  開口、３１  絶縁性の基板、３２  第１電線、３３  第２電線、３４  給電線、３５  穴、３６  ソーラーパネル接続電極。
【図１】
2019056616.tif 000003
【図２】
2019056616.tif 000004
【図３】
2019056616.tif 000005
【図４】
2019056616.tif 000006
【図５】
2019056616.tif 000007
【図６】
2019056616.tif 000008
【図７】
2019056616.tif 000009
【図８】
2019056616.tif 000010
【図９】
2019056616.tif 000011
【図１０】
2019056616.tif 000012
【図１１】
2019056616.tif 000013